(57)【要約】【課題】地震に対する強度が高く、津波が押し寄せても浸水したり破損したりしない。【解決手段】地下シェルター２は、地中に埋設されていて、プレキャスト構造からなる側版５と頂版６と底版４とを組み立ててなり、水密性の地下空間２２を有する。頂版６に開閉可能なハッチ１７を取り付け、地下空間２２には床面２３につながる階段を形成した。頂版６に開口部１８を設け、進退可能な潜望鏡２０またはカメラを水密に設けた。【選択図】図１
2013014898.tif 000002
【特許請求の範囲】
【請求項１】
地中に埋設されていて、プレキャスト構造からなる側版と頂版と底版とが組み立てられて水密性の地下空間を形成してなり、前記頂版には開閉可能なハッチが取り付けられ、前記地下空間にはハッチから床面につながる階段が形成されており、前記頂版には開口部が設けられていて該開口部に進退可能な潜望鏡またはカメラが水密に設けられていることを特徴とする地下シェルター。
【請求項２】
前記頂版には突出部が設けられ、該突出部の頂面に前記潜望鏡またはカメラと前記ハッチが設けられている請求項１に記載された地下シェルター。
【請求項３】
前記頂面は地上に露出されている請求項２に記載された地下シェルター。
【発明の詳細な説明】
【技術分野】
【０００１】
本発明は、津波や洪水等が起きたときに緊急避難可能な耐震性と水密性を備えた地下シェルターに関する。
【背景技術】
【０００２】
東日本大震災では、予想を超える大津波の発生により、沿岸部や低地に住む人々は高台や海岸から離れた地域に避難するのに時間がかかり、逃げ遅れた人も多く、犠牲になった人は行方不明者を含めて２万人を超えるという大被害になった。日本各地では今後も地震の発生が予測され、大地震の際には津波が発生することが予想される。
一般的には、大地震が発生したらすぐに高台や海岸から遠く離れた地域に逃げることが必要であるが、車で逃げようとすると渋滞を引き起こして間に合わないおそれがあり、徒歩で逃げるとしても時間がかかり、年寄りや足の不自由な人等の病人を家族や身内に抱えている場合には、徒歩での高台や遠隔地への迅速な避難は一層困難である。
【０００３】
このような問題に対処するため、例えば防波堤や防潮堤を高く建設して津波をブロックすることが提案されているが、規模が大きく費用が膨大になり実現は困難である。
また、例えば特許文献１に記載されたように地下シェルターを設置した提案もなされているが、これはコンピューターのバックアップ施設であり、シェルター内に重量のある大型のホストコンピューターを設置するために地盤への杭打ちをした上で耐圧盤を設置してシェルターを設置する必要があった。しかも、このシェルターは入口として地上に建屋を設けていた。
【先行技術文献】
【特許文献】
【０００４】
【特許文献１】特許第３８３６１１１号公報
【発明の概要】
【発明が解決しようとする課題】
【０００５】
しかしながら、特許文献１に記載された発明は、企業、官庁、病院、銀行等がホストコンピューターを大地震等の災害時に地震で壊れたり津波で浸水したりすることを防止するためのものであり、人を避難させるためのものではない。しかも、特許文献１に記載された地下シェルターは入り口が地上の建屋に設置されていて地下に主室と副室を備えており、地上室が浸水しても地下の主室に水が流れ込まないとしているが、地上室が津波で破壊されて入口の上に倒れた場合に地下室が塞がれ、地下から地上へ出入りすることができないおそれがあった。
【０００６】
本発明は、このような実情に鑑みて、地震に対する強度が高く、津波が押し寄せても浸水したり破損したりすることのない水密性を有する地下シェルターを提供することを目的とする。
【課題を解決するための手段】
【０００７】
本発明による地下シェルターは、地中に埋設されていて、プレキャスト構造からなる側版と頂版と底版とが組み立てられて水密性の地下空間を形成してなり、頂版には開閉可能なハッチが取り付けられ、地下空間にはハッチから床面につながる階段が形成されており、頂版には開口部が設けられていて該開口部に進退可能な潜望鏡またはカメラが水密に設けられていることを特徴とする。
本発明による地下シェルターは、地震等で津波が発生した場合にハッチから地下空間内に避難することができ、高台や海岸から離れた地域に移動しなくても瞬時に避難することができ、地下空間は水密性であるから安全を確保できる。しかも、地下シェルターは地下に埋設されていることで津波にさらわれることもなく、避難した後、潜望鏡またはカメラによって外部の様子を観察できるから、安全性を確認してから外にでることができる。しかも、側版と頂版と底版がプレキャスト構造であるから現地での組立が容易で簡単である。
【０００８】
また、頂版には突出部が設けられ、突出部の頂面に潜望鏡またはカメラとハッチが設けられていてもよい。
頂版の一部に突出部を設けて、突出部の頂面に潜望鏡またはカメラとハッチを設けるようにすれば、突出部以外の頂版を地中に埋設することができる。
【０００９】
また、頂面は地上に露出されていてもよく、ハッチを開放した出入りや潜望鏡またはカメラを通した外部の観察を簡単且つ確実に行える。  
【発明の効果】
【００１０】
本発明による地下シェルターは、平常時は例えば倉庫として使用することができ、地震が発生した際には、ハッチを通して迅速に避難することができ、しかも、地中に設置されていて耐震性が強く水密性を備えているため、津波が押し寄せても破損したり地下空間内に浸水したり流失したりすることがなく安全で高強度である。
【００１１】
そして、津波が引いて地上の海水等がなくなったかどうか等を確認するためには、地下シェルターの地下空間内から潜望鏡やカメラを開口部から地上に延ばして観察すればよく、危険を冒すことなく外部の様子を観察できる。
また、津波が襲来している時間は短いのでせいぜい半日から１日程度地下シェルター内に避難すればよく、津波が引いて収まった後は潜望鏡やカメラで地上の安全を確認した後、外に出ることができ、その後の生活において、断水等で水洗便所が使用できない場合には地下シェルターを非常用便槽として利用できる。
【図面の簡単な説明】
【００１２】
【図１】本発明の第一の実施形態による地下シェルターの一部破断説明図である。
【図２】（ａ）、（ｂ）、（ｃ）は図１に示す地下シェルターの製造方法を示す図である。
【図３】本発明の第二の実施形態による地下シェルターを示す図であり、（ａ）は地下シェルターの一部破断説明図、（ｂ）は同図（ａ）のＡ部拡大図である。
【発明を実施するための形態】
【００１３】
以下、本発明の実施形態による地下シェルターについて説明する。
図１において、地上に住宅または事務所等の家屋１が設置されている。そして、家屋１の近傍には、地中に津波シェルターとして地下シェルター２が埋設されている。地下シェルター２は家屋１の下側に設けても良いし、或いは庭等の家屋１に近接した位置に設けても良い。
地下シェルター２は、例えば略円筒状に形成されており、円盤状の底版４と略円筒状の側版５と側版５の上面に設けられた頂版６とを備えたプレキャスト構造とされている。頂版６の一部には例えば円筒状の突出部７が形成されており、突出部７の頂面８は地上に露出しているが、頂面８以外の頂版６は地中で土被りとなっている。突出部７は頂面８以外が地中に埋設されているが、突出部７の一部または全部が地上に突出して設けられていてもよい。
【００１４】
底版４は例えば現場打ちの鉄筋コンクリート板からなり、その下側に基礎コンクリート１０と砕石及び割栗石１１が積層されており、底板４の上面には防水モルタル１２が施工されて床面２３が形成されている。
側版５は例えば略円筒状をなす鉄筋コンクリート製であってリング状の下部セグメント１４と上部セグメント１５が連結されて構成されている。頂版６は例えば板状の鉄筋コンクリート板からなり、突出部７の頂面８には人が出入りできるようにハッチ１７がヒンジ等で開閉可能とされている。
頂面８にはハッチ１７の近傍に開口部１８が形成され、この開口部１８にはパッキン等で潜望鏡２０が水密に装着され、潜望鏡２０は水密性を維持しながら開口部１８から上下方向に上下動可能とされている。潜望鏡２０を頂面８の開口部１８から外部に上昇させることで、地上の状況を目視確認できるようになっている。潜望鏡２０を下方に降下させることで開口部１８を液密に閉鎖させることができる。
【００１５】
このように底版４、側版５及び頂版６で形成される略円筒状の地下シェルター２は、その内部が密閉された地下空間２２を構成しており、突出部７のハッチ１７の下部には底版４に設けた床面２３まで降下する階段２４が形成されている。地下空間２２内には非常食としての食料や水等の飲料、酸素ボンベや乾電池、非常電源等を収納できる。特に非常食や飲料等は非常袋等のパックにまとめて収納しておくとよい。
また、平常時には、地下シェルター２は地下倉庫として使用することができる。
【００１６】
地下シェルター２が個人住宅用であれば、地下空間２２は例えば１５．９ｍ２（９畳程度）の広さとなり、７〜８名程度が一時的に避難可能である。また、地下シェルター２が集合住宅や事業所、或いは避難場所用であれば、地下空間２２は例えば２９．２ｍ２（１７畳程度）の広さとなり、１４〜１６名程度が一時的に避難可能である。
【００１７】
このような地下シェルター２は、大地震等の際に津波に襲われた場合にその浮力よりも大きな自重を有する必要がある。本実施形態では、地下シェルター２が鉄筋コンクリート製或いは鋼製であり、浮力よりも建物の重量を大きく設定できるよう各面の部材厚みを決定している。或いは、建物の重量にその上に載置させた土被りの重量を加えたものの重さが浮力より大きければよい。そのため、地下シェルター２が津波に呑まれても浮力より自重の方が大きいので浮いたり移動したりせず、安全である。
【００１８】
次に地下シェルター２の組立方法の一例について図２により説明する。
図２（ａ）において、地下シェルター２の外径より大きな内径の穴２６を掘削して先堀りし、その中で側版５であるプレキャスト構造の下部セグメント１４と上部セグメント１５を連結して組み立てる。連結部は例えばセグメント同士の接合部に設けたボルトボックス２７に雄ねじを挿通して雌ねじと螺合する。
そして、図２（ｂ）に示すように、各セグメントの接合部のボルトボックス２７に無収縮モルタルを充填して止水処理を内外の目地に施す。
【００１９】
次いで、図２（ｃ）に示すように、略円筒状の側版５の内面を油圧ショベル２８で掘削して土を除去し、側版５が所定の深さになるまで自重で沈下させる。その後、底部に砕石及び割栗石１１を敷設し、その上に基礎コンクリート１０を打設して鉄筋コンクリートからなる底板４を施工し、その上面に防水モルタル１２を施工することで、底版４を形成する。そして、床面２３や階段２４等の内装施工を行ったあと、頂版６を側版５に連結して地下シェルター２を組み立て、頂版６の上に土を盛る。こうして、突出部７の頂面８を地表に露出させる。
なお、地下シェルター２は、底版４、側版５、頂版６をプレキャスト構造で形成したが、現場で型枠を形成して現場打ちで製作するようにしてもよいし、或いはプレキャスト構造と現場打ちの混合で製作してもよい。
【００２０】
上述のように本実施形態による地下シェルター２は、平常時は例えば倉庫として使用することができる。そして、大地震が発生した場合には、高台や海岸から離れた所まで避難することなく、ハッチ１７を開けて地下シェルター２の地下空間２２内に退去すればよく、短時間で避難できる。
ハッチ１７を頂面８に閉蓋した状態で、地下シェルター２は水密性を確保できると共に、高強度であるために耐震性が高いから、地震で地下シェルター２が損壊することはほとんどなく、しかも防水性があるため地上の家屋が津波に襲われて破損したり流失したとしても、地下空間２２が津波によって浸水等することがない。
【００２１】
また、地下シェルター２は自身の浮力よりも大きな重量を備えており、しかも地中に埋設されて頂面８が地上に露出しているにすぎないから、津波によって地下シェルター２が流動したり、流失させられることも防止できる。
そして、津波が引いて地上の海水がなくなったかどうか等を確認するためには、地下シェルター２の地下空間２２内から潜望鏡２０を頂面８の開口部１８から地上に延ばして観察すればよく、危険を冒すことなく外部の様子を潜望鏡２０を通して観察できる。
また、津波が襲来している時間は短いのでせいぜい半日から１日程度地下シェルター２内に避難すればよく、津波が引いて収まった後は潜望鏡２０で地上の安全を確認した後、ハッチ１７を開けて外に出ることができる。その後の生活において、断水等で水洗便所が使用できない場合には地下シェルター２を非常用便槽として利用できる。
【００２２】
なお、本発明は上述した第一の実施形態による地下シェルター２に限定されるものではなく、本発明の要旨を逸脱しない限り種々の変更が可能である。
図３は本発明の第二の実施形態による地下シェルター３０を示すものであり、上述した第一の実施形態と同一または同様な部材、部分には同一の符号を付して説明を省略する。
図３に示す地下シェルター３０において、第一の実施形態との相違点として、頂面８の開口部１８に、潜望鏡２０に代えて上下動可能な筒部３１の先端に撮影カメラ３２が設けられている。筒部３１を地下シェルター３０の外部に進出させて周囲の状況を撮影できる。この場合、筒部３１は回転操作できることが好ましい。或いは、筒部３１を回転させないで内部の撮影カメラ３２を回転可能にしてもよい。
【００２３】
撮影した外部環境の画像は筒部３１に取り付けたディスプレイ３３で観察してもよいし、或いはパソコンやその他のディスプレイ画面を通して観察してもよい。
この場合、撮影カメラ３２やディスプレイ３３等は、震災で停電していても、電池や非常用電源等を用いて避難者が外部の様子を観察できる。
【００２４】
なお、ハッチ１７や頂面８、或いは頂版６等の、平常時に地表に露出する面に窓を設けて外部環境を観察できるようにしてもよい。
また、上述の実施形態では、地下シェルター２，３０の頂面８は地上に露出されている構成としたが、この構成に代えて頂面８もその上に土が被せられ、地中に埋設されていてもよい。
また、上述の各実施形態では、地下シェルター２、３０の頂版６に突出部７を設けてその頂面８を地上に露出させる構成としたが、頂版６に突出部７を設けなくてもよく、その際、頂版６が地上に露出していてもよいし、埋設されていてもよい。その際、頂版６に窓を設けて外部を観察できるようにしてもよい。
【００２５】
なお、上述の各実施形態では、底版４は現場施工のコンクリート製である構成としたが、これに代えて底版４もプレキャスト構造としてもよく、この場合には、底版４，側版５、頂版６について予め工場で製造できるから、現場での組立施工が一層容易になる。また、地下シェルター２、３０を構成する底版４，側版５、頂版６は鉄筋コンクリート製に限定されることはなく、鋼製セグメントや合成セグメントで構成されていてもよい。
また、上述の各実施形態では、地下シェルター２、３０は略円筒形状に形成されているが、本発明はこのような構成に限定されることなく、直方体や立方体等、適宜形状の立体形状であればよい。
【符号の説明】
【００２６】
２、３０  地下シェルター
４  底版
５  側版
６  頂版
８  頂面
１７  ハッチ
１８  開口部
２０  潜望鏡
２３  床面
３１  筒部
３２  撮影カメラ
３３  ディスプレイ
【図１】
2013014898.tif 000003
【図２】
2013014898.tif 000004
【図３】
2013014898.tif 000005